(57)【要約】      （修正有）【課題】構造が簡単で取り付けたり取り外したりしやすいと共に、構造が強固で壊れにくいペット用ランニングホイールを提供する。【解決手段】ペット用ランニングホイールは、輪本体１０と、軸心構造２０と、固定構造３０とを有し、輪本体の一側の壁に貫通穴１１が形成され、軸心構造は、輪本体に取り付けられ、ベアリング２１及び軸心２２を備え、ベアリングは、輪本体の貫通穴に嵌め込まれ、軸心は一体形成のものであり、前端部２３と、中間部２４と、後端部と、止め板２６を備え、前端部は、輪本体の内部へ伸びるように取り付けられ、中間部は、前端部と連接すると共に輪本体の貫通穴に嵌め込まれているベアリングに貫設され、後端部は、中間部の前端部と反対する側と連接し、止め板が中間部と後端部との間に設けられ、固定構造は、輪本体を挟設するように軸心構造に取り付けられる。【選択図】図２
0003209016.tif 000002
【実用新案登録請求の範囲】
【請求項１】
一側の壁に貫通穴が形成される、輪本体と、
前記輪本体に取り付けられ、ベアリング及び軸心を備え、該ベアリングは、輪本体の貫通穴に嵌め込まれ、該軸心は、一体形成のものであり、前端部と、中間部と、後端部と、止め板を備え、そのうち、前端部は、輪本体の内部へ伸びるように取り付けられ、該中間部は、前端部と連接すると共に輪本体の貫通穴に嵌め込まれているベアリングに貫設され、該後端部は、中間部の前端部と反対する側と連接し、該止め板が中間部と後端部との間に設けられる、軸心構造と、
前記輪本体を挟設するように軸心構造に取り付けられ、フロントキャップ及びバックキャップを備え、該フロントキャップは、軸心の前端部に取り付けられ、該バックキャップは、軸心の後端部に取り付けられる固定構造とを有することを特徴とするペット用ランニングホイール。
【請求項２】
前記輪本体における、一側に閉鎖状の壁が設けられ、他側に開放状となる開口が形成され、該一側の壁に貫通穴が形成され、該一側の壁の外面における貫通穴の周囲にスリーブが凸設され、
前記ベアリングが輪本体の貫通穴に嵌め込まれ、
前記軸心の前端部は、輪本体の一側からスリーブに嵌め込まれているベアリングを通過して、輪本体の開口状の他側へ伸びって、フロントキャップに取り付けられることを特徴とする請求項１に記載のペット用ランニングホイール。
【請求項３】
前記輪本体は、前殻体及び後殻体を備え、該前殻体における後殻体側の周縁に第一係合部が設けられ、該後殻体における前殻体側の周縁に第二係合部が設けられ、該前殻体の第一係合部が該後殻体の第二係合部に係合されることによって輪本体を構成し、また、該前殻体が弾性軟質材料からなり、該前殻体の内周面に複数の滑り止めリブが間隔をおいて設けられ、該後殻体の内周面にも複数の滑り止めリブが間隔をおいて設けられることを特徴とする請求項１または２に記載のペット用ランニングホイール。
【請求項４】
スタンド部材を有し、該スタンド部材は、座部と、２本の支持アームと、嵌合棒を備え、該２本の支持アームは、座部の両端から延出して互いに連結する挟持ヘッドを構成し、該嵌合棒は、２つの支持アームの間に取り付けられ、挟持ヘッドとの間に装着穴が形成され、
前記軸心の後端部の外周面に一字形の係合溝が径方向に形成され、
前記スタンド部材が挟持ヘッド及び嵌合棒を介して後端部の外周面及び係合溝に係合され、そのうち、挟持ヘッドが後端部の外周面に掛止されると共に、嵌合棒が係合溝を介して軸心の後端部に嵌め込まれることを特徴とする請求項３に記載のペット用ランニングホイール。
【請求項５】
前記止め板は、円盤状を呈し、中間部に面する一側に複数の強固リブが間隔をおいて設けられ、後端部に面する他側に複数の止めリブがそれぞれ平行に配列するように間隔をおいて設けられ、前記複数の止めリブの中間部分に、該止めリブと直交する横方向の溝部が形成されることを特徴とする請求項４に記載のペット用ランニングホイール。
【請求項６】
前記フロントキャップの外表面に複数の凹み部が凹設されると共に、前記バックキャップの外表面に複数の凹み部が凹設され、使用者が指で凹み部を押してフロントキャップまたはバックキャップを回転することを特徴とする請求項５に記載のペット用ランニングホイール。
【請求項７】
前記軸心の後端部の内周面に複数の補強リブが設けられ、
前記バックキャップの内面に軸方向の保持リングが凸設され、該保持リングが後端部の複数の補強リブの中心に差し込まれることを特徴とする請求項６に記載のペット用ランニングホイール。
【請求項８】
前記軸心の後端部に一字形の係合溝が形成され、
飼育ケージを有し、その一側のネットに複数のバーが互いに交差するように設けられ、
２本の互いに交差する前記バーが軸心の後端部の係合溝に嵌め込まれ、
前記バックキャップが軸心の後端部に取り付けられることを特徴とする請求項１または２に記載のペット用ランニングホイール。
【請求項９】
前記輪本体は、前殻体及び後殻体を備え、該前殻体における後殻体側の周縁に第一係合部が設けられ、該後殻体における前殻体側の周縁に第二係合部が設けられ、該前殻体の第一係合部が該後殻体の第二係合部に係合されることによって輪本体を構成し、また、該前殻体が弾性軟質材料からなり、該前殻体の内周面に複数の滑り止めリブが間隔をおいて設けられ、該後殻体の内周面にも複数の滑り止めリブが間隔をおいて設けられることを特徴とする請求項８に記載のペット用ランニングホイール。
【請求項１０】
前記止め板は、円盤状を呈し、中間部に面する一側に複数の強固リブが間隔をおいて設けられ、後端部に面する他側に複数の止めリブがそれぞれ平行に配列するように間隔をおいて設けられ、前記複数の止めリブの中間部分に、該止めリブと直交する横方向の溝部が形成されることを特徴とする請求項９に記載のペット用ランニングホイール。
【請求項１１】
前記フロントキャップの外表面に複数の凹み部が凹設されると共に、前記バックキャップの外表面に複数の凹み部が凹設され、使用者が指で凹み部を押してフロントキャップまたはバックキャップを回転することを特徴とする請求項１０に記載のペット用ランニングホイール。
【請求項１２】
前記軸心の後端部の内周面に複数の補強リブが設けられ、
前記バックキャップの内面に軸方向の保持リングが凸設され、該保持リングが後端部の複数の補強リブの中心に差し込まれることを特徴とする請求項１１に記載のペット用ランニングホイール。
【考案の詳細な説明】
【技術分野】
【０００１】
本考案は、特に構造が簡単で取り付けたり取り外したりしやすいと共に、構造が強固で壊れにくいペット用ランニングホイールに関するものである。
【背景技術】
【０００２】
現代人が趣味やストレス解散するために、猫や、犬、ウサギ、マウスなどの小動物を飼うことが普及しており、そのうち、マウスの体型が小さいことから、ケージやハウスだけで簡単に飼育することができる。また、そのケージやハウスにランニングホイルがよく取り付けられ、マウスを運動させることができると共に、飼い主がマウスの活動を観賞しても楽しんでストレスを解消してリラックスすることができる。
【０００３】
既存のペット用ランニングホイルは、輪本体と、軸心構造と、固定構造を有し、その軸心構造が最も重要な部材であり、いくつかのタイプもあり、そのうちの一種は、殻体と、軸心と、複数の他の部材を備え、該殻体は、ホイル本体の後側の壁に取り付けられ、その内部に軸心用のベアリングが嵌め込まれ、該軸心は、ホイル本体の結合穴を通過して螺合手段によって固定構造のフロントカバー及びバックカバーに組み合わされると、ランニングホイルの組立が完成する。
【先行技術文献】
【特許文献】
【０００４】
【特許文献１】特開2014-33661号公報
【考案の概要】
【考案が解決しようとする課題】
【０００５】
既存のランニングホイルを有すれば、小動物がランニングホイルを利用して運動したり遊んだりすることができるが、その軸心構造のベアリングの体積が小さくて殻体を介して輪本体の後側の壁に取り付けられては、取り付けが難しくて掃除することも非常に不便である。
【０００６】
また、既存のランニングホイルを包装する時、軸心構造を別々に包装してはいけないため、包装に必要な空間が増えて配達もし難くなる。
さらに、その輪本体は、ポリスチレン（Ｐｏｌｙｓｔｙｒｅｎｅ，ＰＳ）からなることから、構造強度が弱まり、搬送する過程において、不注意でぶつかったら、壊れてしまう。そのロッカ構造におけるフロントカバー及びバックカバーの体積が小さいことから、締め付けたり緩んだりして組み立てる手間がかかり、組立に非常に不便であった。
【０００７】
一方、既存のランニングホイルをスタンドに取り付けて使用する場合に、スタンドが殻体の下部の穴に取り付けられることから、その結合構造の強度が不足で搬送するうちに、ランニングホイルが脱落するおそれがあり、改良する必要があった。
【課題を解決するための手段】
【０００８】
上述した問題を解決するために、本考案のペット用ランニングホイールは、
一側の壁に貫通穴が形成される、輪本体と、
前記輪本体に取り付けられ、ベアリング及び軸心を備え、該ベアリングは、輪本体の貫通穴に嵌め込まれ、該軸心は、一体形成のものであり、前端部と、中間部と、後端部と、止め板を備え、そのうち、前端部は、輪本体の内部へ伸びるように取り付けられ、該中間部は、前端部と連接すると共に輪本体の貫通穴に嵌め込まれているベアリングに貫設され、該後端部は、中間部の前端部と反対する側と連接し、該止め板が中間部と後端部との間に設けられる、軸心構造と、
前記輪本体を挟設するように軸心構造に取り付けられ、フロントキャップ及びバックキャップを備え、該フロントキャップは、軸心の前端部に取り付けられ、該バックキャップは、軸心の後端部に取り付けられる固定構造とを有する。
【０００９】
かかるペット用ランニングホイールにおいて、
前記輪本体における、一側に閉鎖状の壁が設けられ、他側に開放状となる開口が形成され、該一側の壁に貫通穴が形成され、該一側の壁の外面における貫通穴の周囲にスリーブが凸設され、
前記ベアリングが輪本体の貫通穴に嵌め込まれ、
前記軸心の前端部は、輪本体の一側からスリーブに嵌め込まれているベアリングを通過して、輪本体の開口状の他側へ伸びって、フロントキャップに取り付けられることが好ましい。
【００１０】
かかるペット用ランニングホイールにおいて、
前記輪本体は、前殻体及び後殻体を備え、該前殻体における後殻体側の周縁に第一係合部が設けられ、該後殻体における前殻体側の周縁に第二係合部が設けられ、該前殻体の第一係合部が該後殻体の第二係合部に係合されることによって輪本体を構成し、また、該前殻体が弾性軟質材料からなり、該前殻体の内周面に複数の滑り止めリブが間隔をおいて設けられ、該後殻体の内周面にも複数の滑り止めリブが間隔をおいて設けられることが好ましい。
【００１１】
かかるペット用ランニングホイールにおいて、
スタンド部材を有し、該スタンド部材は、座部と、２本の支持アームと、嵌合棒を備え、該２本の支持アームは、座部の両端から延出して互いに連結する挟持ヘッドを構成し、該嵌合棒は、２つの支持アームの間に取り付けられ、挟持ヘッドとの間に装着穴が形成され、
前記軸心の後端部の外周面に一字形の係合溝が径方向に形成され、
前記スタンド部材が挟持ヘッド及び嵌合棒を介して後端部の外周面及び係合溝に係合され、そのうち、挟持ヘッドが後端部の外周面に掛止されると共に、嵌合棒が係合溝を介して軸心の後端部に嵌め込まれることが好ましい。
【００１２】
かかるペット用ランニングホイールにおいて、
前記止め板は、円盤状を呈し、中間部に面する一側に複数の強固リブが間隔をおいて設けられ、後端部に面する他側に複数の止めリブがそれぞれ平行に配列するように間隔をおいて設けられ、前記複数の止めリブの中間部分に、該止めリブと直交する横方向の溝部が形成されることが好ましい。
【００１３】
かかるペット用ランニングホイールにおいて、
前記フロントキャップの外表面に複数の凹み部が凹設されると共に、前記バックキャップの外表面に複数の凹み部が凹設され、使用者が指で凹み部を押してフロントキャップまたはバックキャップを回転することが好ましい。
【００１４】
かかるペット用ランニングホイールにおいて、
前記軸心の後端部の内周面に複数の補強リブが設けられ、
前記バックキャップの内面に軸方向の保持リングが凸設され、該保持リングが後端部の複数の補強リブの中心に差し込まれることが好ましい。
【００１５】
かかるペット用ランニングホイールにおいて、
前記軸心の後端部に一字形の係合溝が形成され、
飼育ケージを有し、その一側のネットに複数のバーが互いに交差するように設けられ、
２本の互いに交差する前記バーが軸心の後端部の係合溝に嵌め込まれ、
前記バックキャップが軸心の後端部に取り付けられることが好ましい。
【考案の効果】
【００１６】
本考案に係るペット用ランニングホイールは、上述した構造を有することから、以下のメリットを有する。
１. 構造が簡単で取り付けたり取り外したりしやすい：
本考案に係るペットランニングホイルは、軸心が一体に形成される設計となることから、軸心構造が簡単にするため、生産の効率を向上させると共に、取り付けたり取り外したりしても簡単で掃除しやすくなる。また、包装する時、軸心構造と輪本体が分離して別々に包装してもよいことから、軸心構造を有効的に保護して包装することができると共に、包装または配達の占めた空間も大幅に減少することができる。
さらに、固定構造は、体積がよりも大きいフロントキャップ及びバックキャップを備えると共に、それぞれの外周面に凹み部または凹み部が形成されることから、使用者が指で凹み部または凹み部を押してフロントキャップまたはバックキャップを回転して締め付けたり緩まったりすることができ、人体工学に優れ、使いやすい設計となる。
【００１７】
２. 安定的に装着可能：
その軸心が輪本体に取り付けられることから、軸心の寸法を制限しなくて寸法がよりも大きいなベアリングを使用しても構わない。また、その軸心が後殻体に差し込んでスリーブに貫設されることによって、軸心をしっかりと保持しながら、輪本体に対してスムーズに回動させることができる。さらに、スタンド部材は、２本の支持アームの上部の逆Ｕ字形の挟持ヘッドを介して軸心の後端部に係合してからバックキャップに固定されることから、構造強度及び安定性を向上させる。一方、その止め板の一側に、複数の止めリブが設けられることから、それらの止めリブが軸心構造を当接しながら位置決めることによって、輪本体が軸心構造を介してスタンド部材に対して回転しても、軸心構造がスタンド部材に対して回動して緩まることはない。
【００１８】
３. 強固で壊れにくい：
その前殻体は、弾性軟質材料からなることから、靭性を備えるため、ぶつかっても壊れやすくならない。
【図面の簡単な説明】
【００１９】
【図１】本考案に係るペット用ランニングホイールをスタンド部材に取り付ける使用状態を示す斜視図である。
【図２】図１の部分分解斜視図である。
【図３】図１の他の斜視図である。
【図４】図１の他の部分分解斜視図である。
【図５】図１の拡大側面断面図である。
【図６】本考案に係るペット用ランニングホイールを飼育ケージのネットに取り付ける使用状態を示す斜視図である。
【図７】図６の部分分解斜視図である。
【図８】図６の他の斜視図である。
【図９】図６の他の部分分解斜視図である。
【図１０】図６の拡大側面断面図である。
【考案を実施するための形態】
【００２０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２１】
図１乃至図４に示すように、本考案に係るペット用ランニングホイールは、輪本体１０と、軸心構造２０と、固定構造３０を有し、そのうち、輪本体１０の一側に閉鎖状の壁が設けられ、該一側の壁の中心に貫通穴１１が形成され、その一側の壁の外面における貫通穴１１の周囲にスリーブ１２が凸設され、他側に開放状となる開口が形成される。本実施例におけるスリーブ１２が射出成形によって輪本体１０から延設されることが好ましい。前記輪本体１０は、前殻体１３及び後殻体１４を備え、そのうち、前殻体１３における、後殻体１４側の周縁に第一係合部１３１が設けられ、後殻体１４における、前殻体１３側の周縁に第二係合部１４１が設けられ、その前殻体１３の第一係合部１３１が後殻体１４の第二係合部１４１に係合されることによって、前殻体１３と後殻体１４を組み合わせる輪本体１０を構成する。本実施例における前殻体１３は、弾性軟質材料からなり、前殻体１３の内周面に複数の滑り止めリブ１３２が間隔をおいて設けられ、後殻体１４の内周面にも複数の滑り止めリブ１４２が間隔をおいて設けられることが好ましい。
【００２２】
前記軸心構造２０は、輪本体１０に取り付けられ、ベアリング２１及び軸心２２を備え、該ベアリング２１は、輪本体１０の貫通穴１１に嵌め込まれ、または、輪本体１０のスリーブ１２に挿設され、該軸心２２は、一体形成のものであり、前端部２３と、中間部２４と、後端部２５を有し、そのうち、前端部２３の外周面にネジ山が形成され、また、該前端部２３は、輪本体１０の一側からスリーブ１２に嵌め込まれているベアリング２１を通過して輪本体１０の開口状の他側かつ内部へ延びるように取り付けられ、該中間部２４は、前端部２３と連接すると共に輪本体１０の貫通穴１１に嵌め込まれているベアリング２１に貫設され、該後端部２５は、中間部２４の前端部２３と反対する側と連接すると共に、外周面にネジ山が形成される。
【００２３】
本実施例の後端部２５における、内周面に複数の補強リブ２５１が設けられ、外周面に係合溝２５２が径方向に形成され、該係合溝２５２は、一字形または十字形を呈することが好ましい。また、前記軸心２２における中間部２４と後端部２５との間に、止め板２６が設けられ、該止め板２６は、円盤状を呈し、中間部２４に面する一側に複数の強固リブ２６１が間隔をおいて設けられ、後端部２５に面する他側に複数の止めリブ２６２がそれぞれ平行に配列するように間隔をおいて設けられ、前記複数の止めリブ２６２の中間部分に、止めリブ２６２と直交する横方向の溝部２６３が形成される。
【００２４】
前記固定構造３０は、輪本体１０を挟設するように軸心構造２０に取り付けられ、すなわち、該固定構造３０と軸心構造２０との間に輪本体１０が挟持される。該固定構造３０は、フロントキャップ３１及びバックキャップ３２を備え、該フロントキャップ３１は、軸心２２の前端部２３に取り付けられ、その外表面に複数の凹み部３１１が凹設され、使用者が指で凹み部３１１を押してフロントキャップ３１を回転することができる。本実施例のフロントキャップ３１の外周面に、３つの凹み部３１１が間隔をおいて凹設されることが好ましい。前記バックキャップ３２は、軸心２２の後端部２５に取り付けられ、その外表面に複数の凹み部３２１が凹設され、使用者が指で凹み部３２１を押してバックキャップ３２を回転することができる。さらに、前記バックキャップ３２の内面に、軸方向の保持リング３２２が凸設され、バックキャップ３２が軸心２２の後端部２５に締め付けると、保持リング３２２がそれらの補強リブ２５１の中心に差し込まれて、係合溝２５２の変形を抑えるように後端部２５を保持する。
【００２５】
図２、図４、図５に示すように、本考案に係るペットランニングホイルは、さらに、スタンド部材４０を有してもよく、そのスタンド部材４０は、金属棒を折り曲げてループ状のスタンドを構成し、座部４１と、２本の支持アーム４２と、嵌合棒４３を備え、該座部４１は、半円形を呈し、該２本の支持アーム４２は、座部４１の両端から上方へ延出して互いに連結する逆Ｕ字形の挟持ヘッドを構成し、すなわち、該座部４１と支持アーム４２とが自立可能なループ状のスタンドを構成し、該嵌合棒４３は、２本の支持アーム４２の間に取り付けられ、挟持ヘッドとの間に装着穴が形成される。
【００２６】
そのスタンド部材４０を軸心２２の後端部２５に取り付ける時、スタンド部材４０の挟持ヘッドが後端部２５の外周面に掛止されると共に、嵌合棒４３が係合溝２５２を介して軸心２２の後端部２５に嵌め込まれ、それによれば、スタンド部材４０が挟持ヘッド及び嵌合棒４３を介して後端部２５の外周面及び係合溝２５２に係合される。この時、嵌合棒４３は、止め板２６の溝部２６３に嵌め込んで止め板２６に貼り付けられる。その後、バックキャップ３２が軸心２２の後端部２５に取り付けられると、スタンド部材４０を軸心構造２０及び輪本体１０に組み立てることができる。
その輪本体１０が軸心構造２０を介してスタンド部材４０に対して回転する場合に、スタンド部材４０の嵌合棒４３が止め板２６の溝部２６３に嵌め込まれることから、軸心構造２０がスタンド部材４０に対して回転することを防止できる。
【００２７】
図６乃至図１０に示すように、本考案に係るペットランニングホイルを飼育ケージの一側のネット５０に取り付けて使用することができる。本実施例において、スタンド部材４０を使用することはない。本実施例のネット５０に、複数の横方向及び縦方向のバー５１が互いに交差するように設けられる。また、前記軸心２２の後端部２５の十字形の係合溝２５２の寸法が横方向及び縦方向に交差している２本のバー５１の寸法と同じかそれより大きくなるため、前記互いに交差する２本のバー５１が軸心２２の後端部２５の係合溝２５２に嵌め込まれることができる。その後、バックキャップ３２が軸心２２の後端部２５に取り付けられる。
【００２８】
図１０に示すように、前記バー５１の直径は、スタンド部材４０の嵌合棒４３の直径よりも小さいことから、バックキャップ３２の保持リング３２２が後端部２５のそれらの補強リブ２５１の中心に深く差し込まれることができる。それによれば、軸心構造２０及び輪本体１０を、飼育ケージのネット５０に取り付けることができる。
他の実施例においては、本考案に係るペットランニングホイルをスタンド部材４０に組み合わせて飼育ケージの内部に配置して使用してもよい。その輪本体１０が一体形成の部材であることが好ましい。
【００２９】
本考案に係るペットランニングホイルは、軸心２２が一体に形成される設計となることから、軸心構造が簡単にするため、生産の効率を向上させると共に、取り付けたり取り外したりしても簡単で掃除しやすくなる。
また、本考案に係るペットランニングホイルを包装する時、軸心構造２０と輪本体１０が分離して別々に包装してもよい。それによれば、軸心構造２０を有効的に保護して包装することができると共に、包装または配達の占めた空間も大幅に減少することができる。
【００３０】
その軸心２２が輪本体１０に取り付けられることから、軸心２２の寸法を制限しなくて寸法がよりも大きいなベアリング２１を使用しても構わない。また、軸心２２が後殻体１４に差し込んでスリーブ１２に貫設されることによって、軸心２２をしっかりと保持しながら、輪本体１０に対してスムーズに回動させることができる。
また、前記固定構造３０は、体積がよりも大きいフロントキャップ３１及びバックキャップ３２を備えると共に、それぞれの外周面に凹み部３１１または凹み部３２１が形成されることから、使用者が指で凹み部３１１または凹み部３２１を押してフロントキャップ３１またはバックキャップ３２を回転して締め付けたり緩まったりすることができ、人体工学に優れ、使いやすい設計となる。
【００３１】
さらに、前殻体１３は、靭性を備える弾性軟質材料からなることから、ぶつかっても壊れやすくならない。
そのスタンド部材４０は、２本の支持アーム４２の上部の逆Ｕ字形の挟持ヘッドを介して軸心２２の後端部２５に係合してからバックキャップ３２に固定されることから、構造強度及び安定性を向上させる。
一方、その止め板２６の一側に、複数の止めリブ２６２が設けられることから、それらの止めリブ２６２が軸心構造２０を当接しながら位置決めることによって、輪本体１０が軸心構造２０を介してスタンド部材４０に対して回転しても、軸心構造２０がスタンド部材４０に対して回転することはなく、軸心構造２０とスタンド部材４０をしっかりと組み合わせることができる。
上述した説明によれば、本考案に係るペットランニングホイルは、簡単な構造を有するので、取り付けたり取り外したりしやすくなり、安定して装着されてもでき、壊れやすくならないランニングホイルを提供する。
【符号の説明】
【００３２】
１０ 輪本体
１１ 貫通穴
１２ スリーブ
１３ 前殻体
１３１ 第一係合部
１３２ 滑り止めリブ
１４ 後殻体
１４１ 第二係合部
１４２ 滑り止めリブ
２０ 軸心構造
２１ ベアリング
２２ 軸心
２３ 前端部
２４ 中間部
２５ 後端部
２５１ 補強リブ
２５２ 係合溝
２６ 止め板
２６１ 強固リブ
２６２ 止めリブ
２６３ 溝部
３０ 固定構造
３１ フロントキャップ
３１１ 凹み部
３２ バックキャップ
３２１ 凹み部
３２２ 保持リング
４０ スタンド部材
４１ 座部
４２ 支持アーム
４３ 嵌合棒
５０ ネット
５１ バー
【図１】
0003209016.tif 000003
【図２】
0003209016.tif 000004
【図３】
0003209016.tif 000005
【図４】
0003209016.tif 000006
【図５】
0003209016.tif 000007
【図６】
0003209016.tif 000008
【図７】
0003209016.tif 000009
【図８】
0003209016.tif 000010
【図９】
0003209016.tif 000011
【図１０】
0003209016.tif 000012